(57)【特許請求の範囲】
【請求項１】
第１国通信事業者移動通信網内に、第１のホームロケーションレジスタと第１のビジターロケーションレジスタとを有するホーム網交換機と、
第２国通信事業者移動通信網内に、第２のホームロケーションレジスタと第２のビジターロケーションレジスタと国際ローミング用リザーブ電話番号を有するビジター網交換機と、
前記第１国通信事業者移動通信網に加入しているローミング移動機とから少なくとも構成されており、前記ホーム網交換機と前記ビジター網交換機は通信回線で接続され，前記第１及び第２のホームロケーションレジスタと前記第１及び第２のビジターロケーションレジスタとがデータ回線で接続された国際ローミングシステムであって、
前記ビジター網交換機は、前記ローミング移動機が第１国通信事業者移動通信網から第２国通信事業者移動通信網へ国際ローミングするときの、前記ローミング移動機からの前記ビジター網交換機への位置登録要求に従い、前記第１のホームロケーションレジスタに前記第２のビジターロケーションレジスタへローミングしていることを書き込むと共に、前記第２のビジターロケーションレジスタにローミング用電話番号と国際番号を格納させる国際ローミング登録手段と、該国際ローミング登録手段による登録完了と該第２国通信事業者移動通信網で使用可能なアクセスコードを前記ローミング移動機へ通知する通知手段と、前記ローミング移動機からの前記アクセスコードのダイアル入力により、前記第２国通信事業者移動通信網の電話番号を一時的に取得して前記第２のホームロケーションレジスタに格納すると共に、前記第１のホームロケーションレジスタに格納する国際ローミング用電話番号格納手段と
を具備することを特徴とする国際ローミングシステム。
【請求項２】
前記国際ローミング用電話番号格納手段は、前記ローミング移動機からの前記アクセスコードのダイアル入力により、前記第２国通信事業者移動通信網の電話番号の取得要求を前記第２のホームロケーションレジスタへ要求するＤＮ取得要求手段と、該電話番号の取得要求に従い、前記第２のホームロケーションレジスタに前記第２国通信事業者移動通信網の電話番号を格納させると共に、前記第１のホームロケーションレジスタにローミング先の電話番号を登録させる電話番号登録手段とよりなることを特徴とする請求項１記載の国際ローミングシステム。
【請求項３】
前記ビジター網交換機は、前記ローミング移動機が取得した前記第２国通信事業者移動通信網の電話番号の解放要求を該ローミング移動機からダイアル入力されたときは、前記第２のホームロケーションレジスタへ解放要求をして、該第２のホームロケーションレジスタに書き込まれている前記第２国通信事業者移動通信網の電話番号を削除するレジスタ内容削除手段を有し、前記第１のホームロケーションレジスタは、前記レジスタ内容削除手段による電話番号削除後に前記第２のホームロケーションレジスタから入力される登録解放要求に従い該第１のホームロケーションレジスタに書き込まれている前記ローミング移動機の国際ローミング情報を削除する削除手段を有することを特徴とする請求項１記載の国際ローミングシステム。
【請求項４】
第１国通信事業者移動通信網内に、第１のホームロケーションレジスタと第１のビジターロケーションレジスタとを有するホーム網交換機と、
第２国通信事業者の第１の移動通信網内に、第２のホームロケーションレジスタと第２のビジターロケーションレジスタと国際ローミング用リザーブ電話番号を有する第１のビジター網交換機と、
第２国通信事業者の第２の移動通信網内に、第３のホームロケーションレジスタと第３のビジターロケーションレジスタとを有する第２のビジター網交換機と、
前記第１国通信事業者移動通信網に加入しているローミング移動機とからなり、前記ホーム網交換機、前記第１のビジター網交換機及び前記第２のビジター網交換機は通信回線で接続され，前記第１乃至第３のホームロケーションレジスタと前記第１乃至第３のビジターロケーションレジスタとがデータ回線で接続された国際ローミングシステムであって、
前記第１のビジター網交換機は、前記ローミング移動機が第１国通信事業者移動通信網から第２国通信事業者の第１の移動通信網へ国際ローミングするときの、前記ローミング移動機からの前記第１のビジター網交換機への位置登録要求に従い、前記第１のホームロケーションレジスタに前記第２のビジターロケーションレジスタへローミングしていることを書き込むと共に、前記第２のビジターロケーションレジスタにローミング用電話番号と国際番号を格納させる第１の国際ローミング登録手段と、該第１の国際ローミング登録手段による登録完了と該第１の移動通信網で使用可能なアクセスコードを前記ローミング移動機へ通知する第１の通知手段と、前記ローミング移動機からの前記アクセスコードのダイアル入力により、前記第２国通信事業者の第１の移動通信網の電話番号を一時的に取得して前記第２のホームロケーションレジスタに格納すると共に、前記第１のホームロケーションレジスタに格納する第１の国際ローミング用電話番号格納手段と
を具備することを特徴とする国際ローミングシステム。
【請求項５】
前記第１の国際ローミング用電話番号格納手段は、前記ローミング移動機からの前記アクセスコードのダイアル入力により、前記第２国通信事業者の第１の移動通信網の電話番号の取得要求を前記第２のホームロケーションレジスタへ要求するＤＮ取得要求手段と、該電話番号の取得要求に従い、前記第２のホームロケーションレジスタに前記第２国通信事業者の第１の移動通信網の電話番号を格納させると共に、前記第１のホームロケーションレジスタにローミング先の電話番号を登録させる電話番号登録手段とよりなることを特徴とする請求項４記載の国際ローミングシステム。
【請求項６】
前記第２のビジター網交換機は、前記第２国通信事業者の第１の移動通信網の電話番号を取得している前記ローミング移動機が、前記第２国通信事業者の第１の移動通信網から前記第２国通信事業者の第２の移動通信網へ移動するときの、前記ローミング移動機からの前記第２のビジター網交換機への位置登録要求に従い、前記第２のホームロケーションレジスタのローミング先情報を更新させると共に、前記第３のビジターロケーションレジスタにローミング用電話番号と国際番号を格納させる第２の国際ローミング登録手段を更に有することを特徴とする請求項４記載の国際ローミングシステム。
【請求項７】
第１国通信事業者移動通信網内に、第１のホームロケーションレジスタと第１のビジターロケーションレジスタとを有するホーム網交換機と、
第２国通信事業者移動通信網内に、第２のホームロケーションレジスタと第２のビジターロケーションレジスタを有する第１のビジター網交換機と、
第３国通信事業者移動通信網内に、第３のホームロケーションレジスタと第３のビジターロケーションレジスタと国際ローミング用リザーブ電話番号を有する第２のビジター網交換機と、
前記第１国通信事業者移動通信網に加入しているローミング移動機とから少なくとも構成されており、前記ホーム網交換機と前記第１及び第２のビジター網交換機は通信回線で接続され，前記第１乃至第３のホームロケーションレジスタと前記第１乃至第３のビジターロケーションレジスタとがデータ回線で接続された国際ローミングシステムであって、
前記第１のビジター網交換機は、前記ローミング移動機が前記第１国通信事業者移動通信網から前記第２国通信事業者移動通信網へ国際ローミングするときの、前記ローミング移動機からの前記第１のビジター網交換機への位置登録要求に従い、前記第１のホームロケーションレジスタに前記第２のビジターロケーションレジスタへローミングしていることを書き込むと共に、前記第２のビジターロケーションレジスタにローミング用電話番号と国際番号を格納させる国際ローミング登録手段と、該国際ローミング登録手段による登録完了と該第２国通信事業者移動通信網で使用可能なアクセスコードを前記ローミング移動機へ通知する通知手段と、前記ローミング移動機からの前記アクセスコードのダイアル入力により、前記第２国通信事業者移動通信網の電話番号を一時的に取得して前記第２のホームロケーションレジスタに格納すると共に、前記第１のホームロケーションレジスタに格納する国際ローミング用電話番号格納手段とを具備し、
前記第２のビジター網交換機は、前記ローミング移動機が前記第２国通信事業者移動通信網から前記第３国通信事業者移動通信網へ移動した時に前記第１のホームロケーションレジスタへ位置登録要求を行う位置登録要求手段を備え、前記第１のホームロケーションレジスタは、前記位置登録要求手段による位置登録要求時は、前記第２のホームロケーションレジスタに格納された情報及び国際用ローミング電話番号の解放要求を該第２のホームロケーションレジスタに送信して該第２のホームロケーションレジスタに格納された情報及び国際用ローミング電話番号を削除させる削除手段と、該削除手段による削除後に前記第２のビジター網交換機へ認証要求を返送して、該第２のビジター網交換機による前記第３のビジターロケーションレジスタへのローミング用電話番号の格納を可能とする返送手段とを備えることを特徴とする国際ローミングシステム。
【発明の詳細な説明】
【０００１】
【発明の属する技術分野】
本発明は国際ローミングシステムに係り、特に異なる国の移動通信網の間で移動機の通信路設定を行う国際ローミングシステムに関する。
【０００２】
【従来の技術】
従来の国際ローミングシステムの一例が、特表２０００−５１５３３３号公報（発明の名称「セルラー電話網の経路指定方法および国際ローミング移動局用装置」）に記載されている。この従来の国際ローミングシステムにおける国際ローミング移動局への着信呼転送転送について、図６と共に説明するに、国際ローミング移動局７０１の自宅電話番号への他の加入者からの呼９０１が、第１の国の相互接続交換ノード８０１で受信されたものとすると、相互接続交換ノード８０１からホームロケーションレジスタ（ＨＬＲ）８０２に対して位置要求信号で問い合わせが行われる。
【０００３】
ＨＬＲ８０２は、この位置要求信号に対する処理８０３を行い、移動局７０１の位置、すなわち、第２の国に属するセルラー電話網内の在圏交換ノード７０２を求め、続いて、移動局７０１に対する呼の経路選択を要求するために、在圏交換ノード７０２に経路設定要求信号９０２を発信する。在圏交換ノード７０２は、経路設定要求信号９０２を受信すると、国際ローミング移動局７０１に仮の現地電話番号（ＴＬＤＮ）を割り当てる処理７０３を行い、ＴＬＤＮを含む経路指定要求返信信号９０３を国際ゲートウェイ（ＩＧＷ）７０４経由でＨＬＲ８０２に送る。
【０００４】
ＨＬＲ８０２は、これにより在圏交換ノード７０２の所在国を識別し、国コード、都市コード、事業者コード等を取り込み、国際電話番号を作成する処理８０４、８０５を行う。この国際電話番号を経路指定要求返信信号９０４が相互接続交換ノード８０１へ送信される。この国際電話番号によって、交換ノード８０１は、国際ゲートウェイ７０４経由で着信呼９０１を在圏交換ノード７０２へ転送し、交換ノード７０２は移動局７０１に呼接続を行い、呼の転送を終了する。
【０００５】
【発明が解決しようとする課題】
しかるに、上記の従来の国際ローミングシステムでは、国際ローミング移動局７０１に仮の現地電話番号（ＴＬＤＮ）を割り当てるのは、国際ローミング移動局７０１の第１国の自宅電話番号（携帯電話番号）に着信があったときだけであるため、移動局７０１がローミング先の第２国の移動通信網のどこにいても、既存の第１国国際番号と携帯電話番号をダイアルしなければ移動局７０１に着信できないという問題がある。
【０００６】
また、上記の従来の国際ローミングシステムでは、相互接続交換ノード７０２のロケーションレジスタ内に記録された移動局７０１の情報は、移動局７０１の移動により変化し、移動局７０１が交換ノード７０２のサービスエリアから同じ国の他の交換ノードのサービスエリアに移動すると消滅し、その在圏交換ノードのロケーションレジスタ内に再度記録し直され、仮番号を採番しても移動することにより使えなくなるという問題がある。
【０００７】
本発明は以上の点に鑑みなされたもので、携帯電話の国際ローミングであっても訪問先の国番号＋携帯電話番号が使える国際ローミングシステムを提供することを目的とする。
【０００８】
【課題を解決するための手段】
本発明は、上記の目的を達成するため、第１国通信事業者移動通信網内に、第１のホームロケーションレジスタと第１のビジターロケーションレジスタとを有するホーム網交換機と、第２国通信事業者移動通信網内に、第２のホームロケーションレジスタと第２のビジターロケーションレジスタと国際ローミング用リザーブ電話番号を有するビジター網交換機と、第１国通信事業者移動通信網に加入しているローミング移動機とから少なくとも構成されており、ホーム網交換機とビジター網交換機は通信回線で接続され，第１及び第２のホームロケーションレジスタと第１及び第２のビジターロケーションレジスタとがデータ回線で接続された国際ローミングシステムであって、ビジター網交換機は、ローミング移動機が第１国通信事業者移動通信網から第２国通信事業者移動通信網へ国際ローミングするときの、ローミング移動機からのビジター網交換機への位置登録要求に従い、第１のホームロケーションレジスタに第２のビジターロケーションレジスタへローミングしていることを書き込むと共に、第２のビジターロケーションレジスタにローミング用電話番号と国際番号を格納させる国際ローミング登録手段と、国際ローミング登録手段による登録完了と第２国通信事業者移動通信網で使用可能なアクセスコードをローミング移動機へ通知する通知手段と、ローミング移動機からのアクセスコードのダイアル入力により、第２国通信事業者移動通信網の電話番号を一時的に取得して第２のホームロケーションレジスタに格納すると共に、第１のホームロケーションレジスタに格納する国際ローミング用電話番号格納手段とを具備する構成としたものである。
【０００９】
この発明では、第１国通信事業者移動通信網に加入しているローミング移動機が、自国である第１国の通信事業者移動通信網から訪問国である第２国の通信事業者移動通信網へ国際ローミングするときには、ローミング移動機からのビジター網交換機への位置登録要求というローミング移動機（加入者）の意思により、第２国通信事業者移動通信網の電話番号を一時的に取得して第２のホームロケーションレジスタに格納すると共に、第１のホームロケーションレジスタに格納することができる。また、この発明では、第１のホームロケーションレジスタの内容は、第２国通信事業者移動通信網へ国際ローミングしていることが書き込まれるだけで自国の電話番号は同時に使用可能とされる。
【００１０】
また、上記の目的を達成するため、本発明は、ビジター網交換機が、ローミング移動機が取得した第２国通信事業者移動通信網の電話番号の解放要求をローミング移動機からダイアル入力されたときは、第２のホームロケーションレジスタへ解放要求をして、第２のホームロケーションレジスタに書き込まれている第２国通信事業者移動通信網の電話番号を削除するレジスタ内容削除手段を有し、第１のホームロケーションレジスタが、レジスタ内容削除手段による電話番号削除後に第２のホームロケーションレジスタから入力される登録解放要求に従い第１のホームロケーションレジスタに書き込まれているローミング移動機の国際ローミング情報を削除する削除手段を有する構成としたものである。
【００１１】
この発明では、第２のホームロケーションレジスタに書き込まれている移動機の情報と取得した国際ローミング用電話番号は、移動機から解放要求をダイアル入力したときに限り削除されるようにしたため、移動機から解放要求をダイアル入力しない限り第２のホームロケーションレジスタに書き込まれている情報を保持することができる。
【００１２】
また、上記の目的を達成するため、本発明は、第１国通信事業者移動通信網内に、第１のホームロケーションレジスタと第１のビジターロケーションレジスタとを有するホーム網交換機と、第２国通信事業者の第１の移動通信網内に、第２のホームロケーションレジスタと第２のビジターロケーションレジスタと国際ローミング用リザーブ電話番号を有する第１のビジター網交換機と、第２国通信事業者の第２の移動通信網内に、第３のホームロケーションレジスタと第３のビジターロケーションレジスタとを有する第２のビジター網交換機と、第１国通信事業者移動通信網に加入しているローミング移動機とからなり、ホーム網交換機、第１のビジター網交換機及び第２のビジター網交換機は通信回線で接続され，第１乃至第３のホームロケーションレジスタと第１乃至第３のビジターロケーションレジスタとがデータ回線で接続された国際ローミングシステムであって、第１のビジター網交換機は、ローミング移動機が第１国通信事業者移動通信網から第２国通信事業者の第１の移動通信網へ国際ローミングするときの、ローミング移動機からの第１のビジター網交換機への位置登録要求に従い、第１のホームロケーションレジスタに第２のビジターロケーションレジスタへローミングしていることを書き込むと共に、第２のビジターロケーションレジスタにローミング用電話番号と国際番号を格納させる第１の国際ローミング登録手段と、第１の国際ローミング登録手段による登録完了と第１の移動通信網で使用可能なアクセスコードをローミング移動機へ通知する第１の通知手段と、ローミング移動機からのアクセスコードのダイアル入力により、第２国通信事業者の第１の移動通信網の電話番号を一時的に取得して第２のホームロケーションレジスタに格納すると共に、第１のホームロケーションレジスタに格納する第１の国際ローミング用電話番号格納手段とを具備する構成としたものである。
【００１３】
この発明では、第１国通信事業者移動通信網に加入しているローミング移動機が、自国である第１国の通信事業者移動通信網から訪問国である第２国の第１通信事業者移動通信網へ国際ローミングするときには、ローミング移動機からのビジター網交換機への位置登録要求というローミング移動機（加入者）の意思により、第２国の第１通信事業者移動通信網の電話番号を一時的に取得して第２のホームロケーションレジスタに格納すると共に、第１のホームロケーションレジスタに格納することができる。
【００１４】
また、上記の目的を達成するため、本発明は、第２のビジター網交換機を、第２国通信事業者の第１の移動通信網の電話番号を取得しているローミング移動機が、第２国通信事業者の第１の移動通信網から第２国通信事業者の第２の移動通信網へ移動するときの、ローミング移動機からの第２のビジター網交換機への位置登録要求に従い、第２のホームロケーションレジスタのローミング先情報を更新させると共に、第３のビジターロケーションレジスタにローミング用電話番号と国際番号を格納させる第２の国際ローミング登録手段を更に有する構成としたものである。
【００１５】
この発明では、第１国通信事業者移動通信網に加入しているローミング移動機が、自国である第１国の通信事業者移動通信網から訪問国である第２国の第１の通信事業者移動通信網へ国際ローミングし、更に、同じ第２国の異なる第２の通信事業者移動通信網へ国際ローミングするときには、第１及び第２のホームロケーションレジスタと第３のビジターロケーションレジスタの計３箇所に移動機の情報を格納すると共に、第２のホームロケーションレジスタに第２国の国際ローミング用電話番号が格納させておくことができる。
【００１６】
更に、本発明は上記の目的を達成するため、第１国通信事業者移動通信網内に、第１のホームロケーションレジスタと第１のビジターロケーションレジスタとを有するホーム網交換機と、第２国通信事業者移動通信網内に、第２のホームロケーションレジスタと第２のビジターロケーションレジスタを有する第１のビジター網交換機と、第３国通信事業者移動通信網内に、第３のホームロケーションレジスタと第３のビジターロケーションレジスタと国際ローミング用リザーブ電話番号を有する第２のビジター網交換機と、第１国通信事業者移動通信網に加入しているローミング移動機とから少なくとも構成されている国際ローミングシステムであって、第２のビジター網交換機は、ローミング移動機が第２国通信事業者移動通信網から第３国通信事業者移動通信網へ移動した時に第１のホームロケーションレジスタへ位置登録要求を行う位置登録要求手段を備え、第１のホームロケーションレジスタは、位置登録要求手段による位置登録要求時に、第２のホームロケーションレジスタに格納された情報及び国際用ローミング電話番号の解放要求を第２のホームロケーションレジスタに送信して第２のホームロケーションレジスタに格納された情報及び国際用ローミング電話番号を削除させる削除手段と、削除手段による削除後に第２のビジター網交換機へ認証要求を返送して、第２のビジター網交換機による第３のビジターロケーションレジスタへのローミング用電話番号の格納を可能とする返送手段とを備える構成としたものである。
【００１７】
この発明では、第１国通信事業者移動通信網に加入しているローミング移動機が、自国である第１国の通信事業者移動通信網から訪問国である第２国通信事業者移動通信網へ国際ローミングし、更に、異なる国である第３国の通信事業者移動通信網へ移動したときには、それまでの訪問国であった第２国の第２のホームロケーションレジスタに格納された情報及び国際用ローミング電話番号を削除させ、現在の訪問国である第３国の第２のビジター網交換機による第３のビジターロケーションレジスタへのローミング用電話番号の格納を可能とするようにしたため、過去の訪問国の国際ローミング用電話番号は削除して常に現在の訪問国での国際ローミング用電話番号のみを取得することができる。
【００１８】
【発明の実施の形態】
次に、本発明の一実施の形態について図面と共に説明する。図１は本発明になる国際ローミングシステムの一実施の形態のシステム構成図を示す。同図において、Ａ国通信事業者移動通信網内に、Ａ側ホームロケーションレジスタ（ＨＬＲ）１００と、Ａ側ビジターロケーションレジスタ（ＶＬＲ）１０１とを有するＡ側ホーム網交換機１０２と、Ｂ国通信事業者ＢＡ移動通信網内に、ＢＡ側ホームロケーションレジスタ２００と、ＢＡ側ビジターロケーションレジスタ２０１と国際ローミング用リザーブ電話番号２０３を有するＢＡ側ビジター網交換機２０２と、Ｂ国通信事業者ＢＢ移動通信網内に、ＢＢ側ホームロケーションレジスタ３００と、ＢＢ側ビジターロケーションレジスタ３０１とを有するＢＢ側ビジター網交換機３０２と、携帯電話加入者（移動機）５００とにより構成されている。
【００１９】
図１では移動機５００は、Ａ国通信事業者からＢ国通信事業者ＢＡ移動通信網を経由してＢＢ移動通信網のサービスエリアへ国際ローミングしている事を示している。また、Ａ側ホーム網交換機１０２とＢＡ側ビジター網交換機２０２とＢＢ側ビジター網交換機３０２間は、通信回線６００で相互接続されている。また、Ａ側ホーム網交換機１０２、Ａ側ホームロケーションレジスタ１００、Ａ側ビジターロケーションレジスタ１０１、ＢＡ側ビジター網交換機２０２、ＢＡ側ホームロケーションレジスタ２００、ＢＡ側ビジターロケーションレジスタ２０１、ＢＢ側ビジター網交換機３０２、ＢＢ側ホームロケーションレジスタ３００、及びＢＢ側ビジターロケーションレジスタ３０１は、相互にデータ回線４００により接続されている。なお、国際ローミング用リザーブ電話番号２０３は、ＢＡ側ホームロケーションレジスタ２００に直接接続されている。
【００２０】
次に、図１の実施の形態の動作について、図２乃至図５のシーケンス図を併せ参照して詳細に説明する。まず、図１の移動機５００がＡ国通信事業者移動通信網からＢ国通信事業者ＢＡ移動通信網へ国際ローミングする場合の一般的な例を図２を使って説明する。
【００２１】
まず、移動機５００がＡ国通信事業者移動通信網からＢＡ側ビジター網交換機２０２に位置登録要求を行うと（ステップ１０）、ＢＡ側ビジター網交換機２０２がデータ回線４００を通じてＡ側ホームロケーションレジスタ１００へ認証情報を要求する（ステップ１１）。これにより、Ａ側ホームロケーションレジスタ１００がデータ回線４００を通じてＢＡ側ビジター網交換機２０２に認証情報応答を行い（ステップ１２）、この応答を待ってＢＡ側ビジター網交換機２０２がローミング移動機５００へ認証要求を行う（ステップ１３）。移動機５００は、この認証要求を受信すると、ＢＡ側ビジター網交換機２０２へ認証応答を行う（ステップ１４）。
【００２２】
ＢＡ側ビジター網交換機２０２は移動機５００からの認証応答の認証チェックを行い（ステップ１５）、認証ＯＫのときにはデータ回線４００を通じてＡ側ホームロケーションレジスタ１００へ位置登録要求を行う（ステップ１６）。これにより、Ａ側ホームロケーションレジスタ１００はローミング先情報を更新した後（ステップ１７）、位置登録要求をＢＡ側ビジター網交換機２０２へ行う（ステップ１８）。この位置登録要求により、ＢＡ側ビジター網交換機２０２は、ＢＡ側ビジターロケーションレジスタ２０１にローミング書き込み要求を行って（ステップ１９）、ローミング用電話番号と国際番号を格納する（ステップ２０）。
【００２３】
ＢＡ側ビジターロケーションレジスタ２０１は、ローミング書き込みを終了すると、ローミング書き込みＯＫをＢＡ側ビジター網交換機２０２に行い（ステップ２１）、ＢＡ側ビジター網交換機２０２が移動機５００に対して位置登録受付を行う（ステップ２２）。
【００２４】
この移動機５００がＡ国通信事業者移動通信網からＢ国通信事業者ＢＡ移動通信網へ国際ローミングする動作自体は一般的であるが、ここでの大事なポイントは国際ローミングが完了した時点で、Ａ側ホームロケーションレジスタ１００内にどこへローミングしているか（ＢＡ側ビジターロケーションレジスタ２０１へローミングしていること）が書き込まれており、ＢＡ側ビジターロケーションレジスタ２０１には移動機５００に関する情報がＡ側ホームロケーションレジスタ１００から一時にコピーされて格納されているという点である。
【００２５】
しかし、この時点では移動機５００は、Ａ国移動通信網用の携帯電話番号しかもっておらず、Ｂ国ＢＡ移動通信網内から電話する場合でも、Ａ国移動通信網用の携帯電話番号をダイアルしなければいけなかった。そこで、この実施の形態では，上記の既存の国際ローミング完了後に、図３のシーケンス図に従って、移動機５００からの要求によりＢ国国際ローミング用携帯電話番号を一時的に取得する。
【００２６】
すなわち、図３に示すように、図２と共に説明した既存の国際ローミング完了後に、ＢＡ側ビジター網交換機２０２からショートメッセージが移動機５００に送信され（ステップ２３）、このＢ国ＢＡ移動通信網で使用できる携帯電話番号取得用アクセスコードを移動機５００へ通知してくる。それを受けた移動機５００は、指定されたアクセスコードをダイアルする（ステップ２４）ことにより、ＢＡ側ビジター網交換機２０２は、国際ローミング用電話番号（ＤＮ）の取得要求をＢＡ側ホームロケーションレジスタ２００に要求する（ステップ２５）。
【００２７】
ＢＡ側ホームロケーションレジスタ２００はこのＤＮ取得要求を受けると、ＢＡ側ビジターロケーションレジスタ２０１へ移動機５００の関連データを読み出すための加入者情報要求を出力し（ステップ２６）、ＢＡ側ビジターロケーションレジスタ２０１は、その移動機５００の関連データを読み出して返信後、その情報をロケーションレジスタ内から削除する（ステップ２７）。
【００２８】
ＢＡ側ホームロケーションレジスタ２００は、移動機５００の関連データがＢＡ側ビジターロケーションレジスタ２０１から入力されるのを待ってから、国際ローミング用電話番号を国際ローミング用リザーブ電話番号２０３内から取得し、ＢＡ側ホームロケーションレジスタ２００内に書き込む（ステップ２８）。
【００２９】
その後、ＢＡ側ホームロケーションレジスタ２００は、Ａ側ホームロケーションレジスタ１００へ新しく取得したＢ国ＢＡ移動通信網の国際ローミング用携帯電話番号を通知するため、ＤＮ登録要求を送信する（ステップ２９）。Ａ側ホームロケーションレジスタ１００は、ローミング先ＤＮ登録を行ってから（ステップ３０）、ＤＮ登録の応答をＢＡ側ホームロケーションレジスタ２００へ行う（ステップ３１）。これにより、ＢＡ側ホームロケーションレジスタ２００は、ＢＡ側ビジター網交換機２０２へＤＮ取得完了通知を返送し（ステップ３２）、取得されたＤＮが移動機５００へ通知される（ステップ３３）。移動機５００は今後Ｂ国内に居る間、この電話番号を着信電話番号として使うことができる。
【００３０】
次に、図４を参照して図３で取得したＢ国国際ローミング用携帯電話番号の解放シーケンスを説明する。図４に示すように、Ｂ国ＢＡ移動通信網内に在圏している移動機５００がＤＮ解放をダイアルする（ステップ３４）ことにより、ＢＡ側ビジター網交換機２０２は、国際ローミング用電話番号（ＤＮ）の解放要求をＢＡ側ホームロケーションレジスタ２００に要求する（ステップ３５）。
【００３１】
ＢＡ側ホームロケーションレジスタ２００はこのＤＮ解放要求を受けると、ＤＮを解放し、ホームレジスタを解放した後（ステップ３６）、ＤＮ登録解放要求をＡ側ホームロケーションレジスタ１００にデータ回線４００を通じて送信する（ステップ３７）。Ａ側ホームロケーションレジスタ１００は、ローミング先ＤＮ登録解放を行ってから（ステップ３８）、ＤＮ登録解除の応答をＢＡ側ホームロケーションレジスタ２００へ行う（ステップ３９）。これにより、ＢＡ側ホームロケーションレジスタ２００は、ＢＡ側ビジター網交換機２０２へＤＮ解放応答を返送し（ステップ４０）、ＤＮ登録解放が移動機５００へ通知される（ステップ４１）。
【００３２】
このように、移動機５００がＤＮ解放をダイアルすると、ＤＮ解放と同時にＢＡ側ホームロケーションレジスタ２００内に登録されていたローミング移動機５００の内容を全て消し、ＤＮも解放し、Ａ側ホームロケーションレジスタ２００内に書き込まれていた内容（国際ローミングしていることも）を消し去ることで国際ローミングする前の状態へ持っていき、必要なら再度既存の国際ローミング登録手順（図２）を起動する。
【００３３】
最後に、移動機５００がＢ国のＢＡ側移動通信網国際ローミング用携帯電話番号をもったまま、Ｂ国ＢＢ移動通信網へローミングした場合を、図５のシーケンス図を参照して説明する。
【００３４】
まず、移動機５００がＢＡ側移動通信網からＢＢ側ビジター網交換機３０２に位置登録要求を行うと（ステップ４２）、ＢＢ側ビジター網交換機３０２がデータ回線４００を通じてＢＡ側ホームロケーションレジスタ２００へ認証情報を要求する（ステップ４３）。これにより、ＢＡ側ホームロケーションレジスタ２００がデータ回線４００を通じてＢＢ側ビジター網交換機３０２に認証情報応答を行い（ステップ４４）、この応答を待ってＢＢ側ビジター網交換機３０２がローミング移動機５００へ認証要求を行う（ステップ４５）。移動機５００は、この認証要求を受信すると、ＢＢ側ビジター網交換機３０２へ認証応答を行う（ステップ４６）。
【００３５】
ＢＢ側ビジター網交換機３０２は移動機５００からの認証応答の認証チェックを行い（ステップ４７）、認証ＯＫのときにはデータ回線４００を通じてＢ側ホームロケーションレジスタ２００へ位置登録要求を行う（ステップ４８）。これにより、Ｂ側ホームロケーションレジスタ２００はローミング先情報を更新した後（ステップ４９）、位置登録要求をＢＢ側ビジター網交換機３０２へ行う（ステップ５０）。この位置登録要求により、ＢＢ側ビジター網交換機３０２は、ＢＢ側ビジターロケーションレジスタ３０１にローミング書き込み要求を行って（ステップ５１）、ローミング用電話番号と国際番号を格納する（ステップ５２）。
【００３６】
ＢＢ側ビジターロケーションレジスタ３０１は、ローミング書き込みを終了すると、ローミング書き込みＯＫをＢＢ側ビジター網交換機３０２に行い（ステップ５３）、ＢＢ側ビジター網交換機３０２が移動機５００に対して位置登録受付を行う（ステップ５４）。
【００３７】
この移動機５００がＢ国のＢＡ側移動通信網国際ローミング用携帯電話番号をもったまま、Ｂ国ＢＢ移動通信網へローミングした場合の動作は、図２と共に説明した移動機５００がＡ国通信事業者移動通信網からＢ国通信事業者ＢＡ移動通信網へ国際ローミングする動作とあまり変わらないが、重要な事はＡ側ホームロケーションレジスタ１００とＢＡ側ホームロケーションレジスタ２００とＢＢ側ビジターロケーションレジスタ３０１の３カ所に移動機５００のデータを持っており、Ｂ国内ではＢＡ側ホームロケーションレジスタ２００がＢ国国際ローミング用携帯電話番号を持っているということである。
【００３８】
従って、本実施の形態によれば，自国であるＡ国の通信事業者移動通信網に加入している携帯電話加入者（移動機５００）が、訪問国であるＢ国の通信事業者のＢＡ移動通信網へ移動しＢＡ側ビジターロケーションレジスタ２０１に登録された時、携帯電話加入者の求めにより特別なアクセスコードをダイアルする事により、予めこのサービスのために確保されていたＢＡ移動通信網用携帯電話番号を国際ローミング用リザーブ電話番号２０３より選び、移動してきた移動機５００に割り振り、ＢＡ側ホームロケーションレジスタ２００内に記録し使用可能にする。
【００３９】
これにより、この実施の形態では、Ｂ国に滞在している限り、又は移動機５００の携帯電話加入者が望む内（国際ローミング用電話番号を解放要求しない内）は、このＢ国内で国際ローミング用電話番号を着信電話番号として使用できる。このようにして、現在使用している移動機５００（携帯電話）を自国から海外へ持ち出した時、海外の訪問国の電話番号を一時的に移動機５００に割り当てることができ、このことから訪問先のＢ国内の携帯電話通話として利用できる。
【００４０】
また、本実施の形態によれば、Ａ国内のＡ側ホームロケーションレジスタ１００の内容（Ｂ国ＢＡ移動通信網へ国際ローミングしている事）を変更していないため、Ａ国の携帯電話番号も同時に使用できるため、Ａ国の人からの電話も元の電話番号でかけることができる。
【００４１】
更に，本実施の形態によれば、ＢＡ側ホームロケーションレジスタ２００に移動機５００の情報と取得した国際ローミング用携帯電話番号と共に格納されており、携帯電話加入者が望まない限り解放されないため、Ｂ国内で他事業者のＢＢ側移動通信網へ移動したときに携帯電話所有者の意志が無い限り、Ｂ国で取得した電話番号が変わらないで使用できる。
【００４２】
次に、本発明の他の実施の形態について説明する。Ａ国携帯電話機が、Ｂ国ＢＡ移動通信網で国際ローミング用の電話番号を取得し、ＢＢ移動通信網へ移動して行った後、さらに第３のＣ国へ移動した場合の事を考えてみる。
【００４３】
移動機がＣ国へ移動した場合、Ｃ国のビジター網交換機はＡ側ホームロケーションレジスタへ位置登録要求を行うが、Ａ側ホームロケーションレジスタは移動機がＢ国ＢＡ移動通信網用国際ローミング用電話番号を持っている事を知っているので、ＢＡ側ホームロケーションデータおよび国際ローミング用電話番号解放要求を出し、それらの解放完了後、位置登録承認要求をＣ国のビジター網交換機へ返送する。
【００４４】
このように、本実施の形態によれば、訪問した国の（国内）電話番号を使って携帯電話が使用できることにあり、沢山の国々の電話番号を同時に持つ事は無い。もし、ＢＡ側ホームロケーションレジスタを解放しないで、Ｃ国でも国際ローミング用携帯電話番号を取得すると、１つの携帯電話機が３個のホームロケーションレジスタ内に３個のそれぞれの国の携帯電話番号を同時に持つ事になり、その国へ戻らない限り携帯電話機から解放要求出せないのでどんどん貯まっていってしまい、資源の無駄使いになってしまう。これに対し、上述したように、本実施の形態によれば、沢山の国々の電話番号を同時に持つ事は無いようにしているので、上記の資源の無駄使いを防止できる。
【００４５】
【発明の効果】
以上説明したように、本発明によれば、第１国通信事業者移動通信網に加入しているローミング移動機が、自国である第１国の通信事業者移動通信網から訪問国である第２国の通信事業者移動通信網へ国際ローミングするときには、ローミング移動機からのビジター網交換機への位置登録要求というローミング移動機（加入者）の意思により、第２国通信事業者移動通信網の電話番号を一時的に取得して第２のホームロケーションレジスタに格納すると共に、第１のホームロケーションレジスタに格納することにより、訪問国（第２国）の移動通信網の電話番号を取得できるので、訪問国（第２国）の国内の他の人からの電話が国内電話として簡単にできる。
【００４６】
また、本発明によれば、第１のホームロケーションレジスタの内容は、第２国通信事業者移動通信網へ国際ローミングしていることが書き込まれるだけで自国の電話番号は同時に使用可能とされるため、自国（第１国）の移動通信網の電話も元の電話番号でかけることができる。
【００４７】
更に、本発明によれば、訪問国の第２国通信事業者移動通信網の第２のホームロケーションレジスタに、移動機の情報と取得した国際ローミング用電話番号とが格納されており、移動機の電話加入者が望まない限りその電話番号が解放されないため、訪問国の国内で他事業者へ移動したときに、電話加入者の意志が無い限り、訪問国で取得した電話番号が変わらないで使用できる。
【００４８】
また、更に、本発明によれば、第１国通信事業者移動通信網に加入しているローミング移動機が、自国である第１国の通信事業者移動通信網から訪問国である第２国通信事業者移動通信網へ国際ローミングし、更に、異なる国である第３国の通信事業者移動通信網へ移動したときには、それまでの訪問国であった第２国の第２のホームロケーションレジスタに格納された情報及び国際用ローミング電話番号を削除させ、現在の訪問国である第３国の第２のビジター網交換機による第３のビジターロケーションレジスタへのローミング用電話番号の格納を可能とすることで、常に現在の訪問国での国際ローミング用電話番号のみを取得するようにしたため、過去の訪問国に戻って電話番号の解放要求をしなくても自動的に過去の訪問国で取得した電話番号を解放することができ、資源の無駄使いを防止することができる。
【図面の簡単な説明】
【図１】本発明の国際ローミングシステムの一実施の形態のシステム構成図である。
【図２】本発明の国際ローミング登録手順を示す図である。
【図３】図１のＢ国ＢＡ移動網電話番号取得シーケンスを示す図である。
【図４】図１のＢ国ＢＡ移動網電話番号解放シーケンスを示す図である。
【図５】図１のＢ国内ＢＡ移動通信網からＢＢ移動通信網へのローミング時のシーケンス図である。
【図６】従来の国際ローミングシステムの一例の説明図である。
【符号の説明】
１００  Ａ側ホームロケーションレジスタ
１０１  Ａ側ビジターロケーションレジスタ
１０２  Ａ側ホーム網交換機
２００  ＢＡ側ホームロケーションレジスタ
２０１  ＢＡ側ビジターロケーションレジスタ
２０２  ＢＡ側ビジター網交換機
２０３  国際ローミング用リザーブ電話番号
３００  ＢＢ側ホームロケーションレジスタ
３０１  ＢＢ側ビジターロケーションレジスタ
３０２  ＢＢ側ビジター網交換機
４００  データ回線
５００  ローミング移動機
６００  通信回線
【図１】
0003565187.tif 000002
【図２】
0003565187.tif 000003
【図３】
0003565187.tif 000004
【図４】
0003565187.tif 000005
【図５】
0003565187.tif 000006
【図６】
0003565187.tif 000007